(57)【要約】【課題】縦に整合されたボイラーにおける管底上の沈澱物の最適な除去を可能とすること。【解決手段】  使用された冷却水によって特に縦廃熱ボイラーの管底に沈澱する固体を吹出させる方法によって、所定の吹出し流が管底の上に作用されて、これが同時最適清掃作用には構造的簡略化をまねくことを提供する。この課題は、この発明によると、垂線に対して角度をとって配置されて管底にもたらされた多数の冷却孔を通して冷却水の強制流が管底表面の領域に作用されることによって解決される。
2010521640.tif 000002
【特許請求の範囲】
【請求項１】
使用された冷却水によって特に縦廃熱ボイラーの管底に沈澱する固体を吹出させる方法において、垂線に対して角度をとって配置されて管底にもたらされた多数の冷却孔を通して冷却水の強制流が管底表面の領域に作用されることを特徴とする方法。
【請求項２】
強制流が外部から排水路を有する管底中心に作用されることを特徴とする請求項１に記載の方法。
【請求項３】
交流領域孔では少なくとも二つの孔のない半径方向通路が外部から管底中心まで設けられ、通路では、角度をとって設定された冷却水孔を通して強制流が外部から管底中心まで作用されることを特徴とする請求項１或いは２に記載の方法。
【請求項４】
管底における傾斜された冷却水孔に基づく熱交換器管の間には半径方向通路流を横切って形成された強制流が形成されることを特徴とする請求項１乃至３のいずれか一項に記載の方法。
【請求項５】
四つの半径方向の孔のない通路では、孔四分円づつに形成された横流が熱交換器管の間で半分が一方の限定する通路まで、半分が他方の限定する通路まで形成されることを特徴とする請求項１乃至４のいずれか一項に記載の方法。
【請求項６】
管底の領域における冷却水流入開口を備えるボイラー外壁に対して間隔をおいて孔領域を包囲する内壁薄板を備える廃熱ボイラーでは、請求項１乃至５のいずれか一項に記載の方法において、孔のない半径方向通路の領域の内壁は冷却水流入開口なしに、孔四分円の中心領域に付属された冷却水流入開口を通して中心に向いた強制流が補強されることを特徴とする方法。
【請求項７】
ボイラー外壁に対して間隔をおいて孔を包囲する内壁の内部の交流領域孔を備える特に縦廃熱ボイラーの管底（３）において、管底（３）の上昇落下管（２）用の孔のほかに、垂線に対して角度をとって傾斜された多数の冷却孔（５）が設けられていることを特徴とする管底。
【請求項８】
管底（３）がその中心において洗浄された沈澱物或いは泥を除去する排水路（９）を備えていることを特徴とする請求項７に記載の管底。
【請求項９】
管束の少なくとも二つの領域の間では、半径方向に外部から内部へ整合された上昇落下管のない通路（１０）が管底（３）の領域における廃熱ボイラー（１）の外部から内部に冷却媒体強制流を発生させる管底（３）の冷却孔（５）を備えていることを特徴とする請求項７或いは８に記載の管底。
【請求項１０】
上昇管或いは落下管（２）に付属された管底の冷却孔（５）が垂線から偏向する角度状態を有し、冷却孔（５）の投射が次に位置する半径方向通路（１０）に対して垂直な管底平面に整合されていることを特徴とする請求項７乃至９のいずれか一項に記載の管底。
【請求項１１】
四つの半径方向通路（１０）により形成された孔四分円（１１）には、冷却孔（４ａ，４ｂ）の半分づつが隣接した半径方向通路（１０）の四分円に付属されていることを特徴とする請求項７乃至１０のいずれか一項に記載の管底。
【請求項１２】
上昇落下管を包囲する内壁（７）が各孔四分円（１１）の中間領域（１４）のみに床付近の冷却水流入開口（８）を備えていることを特徴とする請求項７乃至１１のいずれか一項に記載の管底。
【発明の詳細な説明】
【技術分野】
【０００１】
この発明は、管底に沈澱された固体を除去する方法と装置に関する。
【背景技術】
【０００２】
縦熱交換器或いは廃熱ボイラーの構造的特性のほかに、管底に沈澱する固体をシステムから取り除いて、およそ腐食などによる沈澱物と関連した損傷を阻止する別の問題が存在する。
【０００３】
水平ボイラーでは、通常には接続された蒸気ドラムの床に、場合によってはボイラー自体の外套排水に関する追加的吹出し可能性を備える吹出しが行われる。
【０００４】
直立廃熱ボイラーでは、管底付近に、管底表面の近くの管束の中心における中央吹出し管に関する噴水デザインの際に支柱に関する吹出しが行われる。従来のＵ管底分配では、吹出しが全管列の損失なしにボイラーの中心では行われず、むしろ、両管路間の管状のない路地の縁のみに配列される。
【０００５】
縦ボイラーの水回転を考慮されるならば、いつも外部から管束の熱領域への流れが生じて、ボイラーでは蒸気発生に基づいて揚力が最大であることが明らかである。噴水デザインでは、これがボイラーの中心にあり、ボイラーでは従来のＵ管束デザインでは熱半部のおよそ図中心にある。
【０００６】
管底表面上の沈澱に基づく損傷の経験により、自然の水回転がボイラー内の固体用の突出し輸送機構を意味し、固体が損傷を回避するために吹出しよってボイラーから放出されなければならない。
【０００７】
ボイラー損傷の別の影響量は高い蒸気発生の地帯に設定するボイラー供給水内の汚染の濃度を意味する。それ故に、冷たい脚が損傷されないままである間にボイラー損傷がいつも管束の熱い脚上に濃縮される。縦ボイラー用の最適化デザインがすべてのこれら要因を考慮して最適化されなければならない。
【先行技術文献】
【特許文献】
【０００８】
【特許文献１】特開２００２ー１５６０９４号公報
【特許文献２】特開２００２ー３２３２０２号公報
【発明の概要】
【発明が解決しようとする課題】
【０００９】
この発明の課題は、縦に整合されたボイラーにおける管底上の沈澱物の最適な除去を可能とすることである。
【課題を解決するための手段】
【００１０】
最初に説明された種類の方法によると、この発明による課題は、垂線に対してある角度をとって配置されて管底に取付けられた多数の冷却孔を通して冷却水の強制流が管底表面の領域に作用されることによって解決される。
【発明の効果】
【００１１】
この発明によると、予定吹出しが管底の上に作用され得て、それは同時最適清掃作用の際に構造的簡略化をまねく。
【００１２】
別の特徴と詳細は別の従属請求項から明らかになる。この際に特にこの発明により外部から流出を有する管底中心までの強制流が作用されることが企図されている。
【００１３】
この措置は、管底の中心における汚染の解消を可能とするために、管底の中心において流出を備えて、それによりどっちみち存在する流れを利用することを可能とする。
【００１４】
交流領域孔では少なくとも二つの孔のない半径方向通路が外部から管底の中心まで設けられるときに、好ましい、通路には角度をとって設定された冷却水孔を通して外部から管底中心まで強制水が作用される。
【００１５】
半径方向通路による外部から内部へ向いた強制水が既に沈澱物排水の非常に良い成果をもたらす。
【００１６】
清掃作用のある最適化を達成するために、熱交換器管の間には管底の適した冷却水孔に基づいてそこで半径方向通路流を横切って形成された強制流が形成されることが企図されている。即ち、孔面から流れが半径方向通路に作用されて、それにより管底の中心における汚染が時間経過によりシステムから取り除かれる。
【００１７】
この発明は、別の構成では、四つの半径方向孔のない通路では、孔四分円づつに形成された横流が熱交換器管の間で半分が一方の限定する通路と半分が他方の限定する通路とに形成されることが企図されている。
【００１８】
別の発明による構成は、ボイラー壁に対して間隔において孔領域を包囲する内部薄板を備える廃熱ボイラーを管底の領域における冷却水開口に挿入するこの発明による方法において、孔のない半径方向通路の領域における内部は冷却水流入開口なしに孔四分円の中間領域に付属された冷却水流入開口を通して中心に向いた強制流が補強されるように、装備されていることである。
【００１９】
この措置によって、縦廃熱ボイラーの内壁と外壁の間に流れる冷却水の流入が利用されて、清掃作用を高める。
【００２０】
最初に説明された課題を解決するために、この発明は、ボイラー外壁に対して間隔において孔を包囲する内壁の交流領域孔を備える特に縦廃熱ボイラーの管底を備えていて、管底の上昇管と落下管用の孔のほかに、垂線に対して角度をとって傾斜した多数の冷却孔が管円弧に設けられていることを特徴とする。
【００２１】
管底の構成は、管底に該当する別の従属請求項から明らかになり、管底がその中心には離れて洗浄された沈澱物或いは泥を除去する排水路を備えることが企図され得る。
【００２２】
管束の少なくとも二つの領域の間には、半径方向に外部から内部へ整合された上昇落下管なしの通路が設けられ、管底の領域における廃熱ボイラーの外部から内部へ冷却媒体強制流を発生させる管底の冷却孔を備えているときに、好ましい、これはこの発明を同様に構成に企図されている。
【００２３】
目的に適ったものとして、上昇管或いは落下管に付属された管底の冷却孔が垂線から偏向する角度状態を有するときに、明らかにされて、冷却孔の投射が次に位置する半径方向通路に対して垂直な管底平面に整合されていること及び／又は四つの半径方向通路によって形成された孔四分円では、冷却孔の半分づつが隣接した半径方向通路の四分円に付属されている。  
【００２４】
自然回転による流れの上記追加的利用は、上昇管と落下管を包囲する内壁が各孔四分円の中心領域にのみ底付近冷却水流入開口を備えていることによってこの発明の構成を考慮される。
【００２５】
この発明の別の特徴、詳細と利点は、次の詳細な説明に基づいて且つ図面により明らかになる。
【図面の簡単な説明】
【００２６】
【図１】縦廃熱ボイラーの簡略化された断面表示を示す。
【図２】簡略化された表示の管底の部分図を示す。
【図３】水平孔の配置概要を備える管底に関する平面図を示す。
【図４】図３と同じ図であって、示された洗浄流を備える管底に関する平面図を示す。
【発明を実施するための形態】
【００２７】
図１による一般に１で示された縦廃熱ボイラーは、熱交換器管２のほかに、一般に３で示された管底を有し、管底は水平孔４を介して供給される冷却孔５を有する。
【００２８】
図１には、ボイラー外壁６に対して間隔をおいて上昇落下管２を包囲する所謂内壁７が設けられることが示されていて、内壁７が管底の領域において冷却水流入開口８を有し、その開口を通してボイラー外壁６と内壁７の間の外部空間内に下方に流入する冷却水が内部孔領域に流入できる。
【００２９】
図２は管底３を通る部分横断面を示す。この場合には、管底３が中心に排水路９を有し、排水路を通して汚染が洗浄され得る。
【００３０】
外部から管底の中心へ、それにより排水路９への強制流を発生させるために、水平孔４の上に作用された冷却孔５がこの発明により垂線から角度をとって傾斜されていて、それは図２に示されている。
【００３１】
図３の平面図には、上昇落下管の間には四つの半径方向に形成された孔のない通路が、図４において１０で示されて、形成されているので、図３における１１によって示された孔四分円が形成されることが示されている。
【００３２】
同様に図３から明らかであるように、水平孔はそれぞれに四分円１１の半分において隣接した通路１０ａ或いは１０ｂに平行な形式に配置されていて、半分づつが９０°だけずれている。図３において水平孔の方向が４ａで示されて、他の方向の水平孔が４ｂで示されている。
【００３３】
この水平孔には傾斜された冷却孔は、傾斜状態がそれぞれに次に位置する孔のない通路１０の方向に整合されている形式に接続されていて、それぞれの横流が生じ、図４において小さい矢印１２によって図示されていて、孔のない半径方向通路１０内の流れが小さい矢印１３によって示されている。
【００３４】
洗浄効果を補強するために、冷却水流入開口８は、その冷却水流が各四分円の中間領域にのみに作用されるように、内壁７に設けられている。この領域は図４において二重矢印１４により示されるので、流入冷却水によって図４において矢印１５によって示されている追加流が生じる。
【００３５】
無論、この発明の記載された実施例は、基本思想を放棄することなしに、種々に変更される。上昇管と落下管を包囲する冷却孔がここに記載された形式に傾斜されて管底に設けられていなく、一種の螺旋流が外部から内部へ生じるように、これら冷却孔が内部から外部へ偏向する傾斜状態を有する。  
【符号の説明】
【００３６】
１．．．．．縦廃熱ボイラー
２．．．．．熱交換器管
３．．．．．管底
４．．．．．水平孔
５．．．．．冷却孔
６．．．．．ボイラー外壁
７．．．．．内壁
８．．．．．冷却水流入開口
９．．．．．排水路
１０．．．．半径方向通路
１１．．．．孔四分円
【図１】
2010521640.tif 000003
【図２】
2010521640.tif 000004
【図３】
2010521640.tif 000005
【図４】
2010521640.tif 000006